(57)【要約】      （修正有）【課題】保護デバイスのエアバッグを膨張させるための装置が提供される。【解決手段】装置は第１の区画２０Ｌおよび第２の区画２０Ｕを含む容器を含む。第１の区画は圧縮気体２９を含有するように適合される。第１の区画と第１の区画内部の圧縮気体２９を封止するように適合された第２の区画との間に封止がある。第２の区画は封止を破るように構成された２段階機構を含み、それによって第１の区画から第２の区画への初期気流をもたらす。第２の区画を通ってエアバッグ１４の中に気体を迅速に流してエアバッグ１４を迅速に拡大させるために、初期気流により封止の代わりに広い開口が生成される。【選択図】図２ａ
0003214415.tif 000002
【実用新案登録請求の範囲】
【請求項１】
第１の区画および第２の区画を含む容器であって、
前記第１の区画は圧縮気体を含有するように適合される、容器と、
前記第１の区画と前記第１の区画内部の前記圧縮気体を封止するように適合された前記第２の区画との間の封止とを備え、
前記第２の区画は、
前記封止に隣接し、非作動位置において前記封止を支持するように適合された可動支持部と、
前記封止を穿刺するように構成され、それによって前記第１の区画から前記第２の区画への初期気流をもたらす穿刺機構であって、前記穿刺機構は、プランジャーを動かすように適合されたソレノイドを含み、前記プランジャーは、前記初期気流をもたらすために前記封止を最初に穿刺するように構成される、穿刺機構と、
を含み、
穿刺に続いて前記初期気流は進み、前記封止を支持することから離れて作動位置に前記可動支持部を移動させ、前記可動支持部が前記封止に隣接していない場合、前記第１の区画から前記第２の区画への迅速な気流を可能にするために、前記第１の区画から前記第２の区画への圧力および気流に応答して前記封止が押し破られる、装置。
【請求項２】
前記第２の区画の壁内に配置された孔をさらに備え、前記非作動位置において前記可動支持部は前記孔を遮断するように構成され、前記作動位置において前記可動支持部は、前記第２の区画内の気体が前記容器から外部に迅速に逃れることができるように前記孔を遮断しないように構成される、請求項１に記載の装置。
【請求項３】
前記容器の外部に密閉して取付け可能である口部を含むエアバッグをさらに備え、前記孔は、前記第２の区画から前記孔を通って前記逃れた気体が前記エアバッグに入るように、前記エアバッグの内部にある、請求項２に記載の装置。
【請求項４】
前記容器を完全に密閉して閉囲するエアバッグをさらに備え、前記孔は、前記第２の区画から前記孔を通って前記逃れた気体が前記エアバッグに入るように、前記エアバッグの内部にある、請求項１に記載の装置。
【請求項５】
口部を含むエアバッグと、
前記エアバッグの前記口部と前記孔との間に密閉して取り付けられた空気管とをさらに備える、請求項２に記載の装置。
【請求項６】
前記封止は前記第１の区画と前記第２の区画との間に配置された箔を含む、請求項１に記載の装置。
【請求項７】
前記穿刺機構は、
針に結合された圧縮バネを含み、前記針は、前記バネが減圧されると前記初期気流をもたらすために前記封止を最初に穿刺するように構成される、請求項１に記載の装置。
【請求項８】
前記可動支持部はピストンを含み、前記容器は長軸を有するシリンダを含み、前記シリンダ内の前記ピストンの動きは前記長軸に沿う、請求項１に記載の装置。
【請求項９】
前記初期気流は少なくとも一部が前記ピストン内の穿孔を通って流れ、前記ピストンを前記シリンダの前記長軸に沿って移動させる、請求項８に記載の装置。
【請求項１０】
前記装置は使用者を負傷から守るために前記使用者が着用可能であり、前記装置は地面に衝突する前に作動される、請求項１に記載の装置。
【考案の詳細な説明】
【技術分野】
【０００１】
本考案はエアバッグ機構およびエアバッグ機構を作動する方法に関する。
【背景技術】
【０００２】
毎年世界中で何百万人もの高齢者（特に女性）が股関節骨折（主に大腿骨頸部骨折）に至る転倒を経験する。高齢者の股関節骨折は、身体的苦痛、自立性の喪失、精神状態の低下、および高死亡率をもたらす。
【０００３】
本出願の米国特許出願公開第２０１３０３１２１６８号はおよび一旦システムが転倒を検出すると、衝撃で使用者の大腿部が地面に当たらないことを確保する大きいサイズに膨らむエアバッグを含有する、使用者の腰の上に着用するベルト状ポーチを含む股関節骨折を防止するための能動的股関節保護システムおよび方法を開示する。ポーチは、距離測定センサ、加速器、および空間定位センサを含有する。エアバッグを含む空気圧システムは、ポーチ内または別の場所の中に持ち運ばれる。別法として、空気圧システムはポーチから分離されてもよいが、着用者上、または着用者に接近した静止位置もしくは可動位置のいずれかの場所、例えば床もしくは壁または家の部屋内に配置された他の物体上、または浴槽もしくはシャワー内部などに位置付けられる。空気圧システムとの通信は、短距離通信プロトコルを使用して無線で達成されてもよく、この場合にポーチは適切な送信機を含有してもよい。
【０００４】
自動車用エアバッグ拘束システムには、基本的に２つの方法またはシステムがあり、これらは気体を供給するために利用される。第１の方法では、膨張する気体は圧力容器内に圧縮された気体として提供されてもよい。第２の方法では、エアバッグは火工気体発生推進組成物を点火し、得られた気体燃焼生成物をバッグの中に向けることによって膨張されてもよい。これらの２つの方法はインフレータの３つの分類を生み出す、すなわち１つ目は気体の加圧貯蔵容器のみに依拠し、２つ目はすべての気体を発生してエアバッグを充填するために燃焼性推進剤を燃焼させることに依拠し、３つ目はエアバッグを膨張させるために説明された２つの方法の組合せに依拠し、これはハイブリッド・インフレータとして当技術分野では公知である。
【０００５】
第１の方法では、車両搭載式の非常に高い圧力で保管された気体の貯蔵容器を使用する。エアバッグを膨張させるために求められる短時間で圧力容器を開くために、爆発作動する配置を利用して振動板を爆発させる、または貯蔵容器の構造部分を切り裂く。第２の方法では、点火可能で迅速に燃焼する気体発生推進組成物を有する火工気体発生器が燃焼して十分な量の高熱気体生成物を生成し、高熱気体生成物は膨張可能なバッグの中に向けられる。これらの気体発生器は、気体発生工程の間に熱および機械的応力に耐えるように設計される。具体的には、気体発生推進剤が点火し、着火し、上昇した温度および圧力で燃焼し、これには気体発生剤を取り囲むケーシングが指定された安全率でこれらの上昇した圧力に安全に耐えることができることが必要である。これらの強度要件は大きく、嵩張り、重いインフレータをもたらすことがある。第３の方法では、気体発生推進組成物および加圧媒体を備えたハイブリッド膨張システムを使用する。
【考案の概要】
【０００６】
様々なエアバッグ機構および方法が本明細書に提供される。機構は、第１の区画および第２の区画を含む容器を含む。第１の区画は圧縮気体を含有するように適合される。第１の区画と第２の区画との間の封止は、第１の区画内部の圧縮気体を封止する。第２の区画は、封止に隣接し非作動位置にある封止を支持するように適合された可動支持部を含む。穿刺機構は封止を穿刺するように構成され、それによって第１の区画から第２の区画への初期気流をもたらす。穿刺に続いて初期気流は進み、封止を支持することから離れて作動位置に可動支持部を移動させる。可動支持部が封止に隣接していない場合、第１の区画から第２の区画への迅速な気流を可能にするために、第１の区画から第２の区画への圧力および／または気流に応答して封止が押し破られる。第２の区画の壁内に孔が配置されてもよい。非作動位置において可動支持部は孔を遮断するように構成され、作動位置において可動支持部は、第２の区画内の気体が容器から外部に逃れることができるように孔を遮断しないように構成される。口部を含むエアバッグは、容器の外部に密閉して取り付け可能であってもよい。孔は、第２の区画から孔を通って逃れた気体がエアバッグに入るように、エアバッグの内部にあってもよい。別法として、エアバッグは容器を完全に密閉して閉囲してもよく、または空気管はエアバッグの口部と孔との間に密閉して取り付けられてもよい。封止は第１の区画と第２の区画との間に配置された箔を含んでもよい。穿刺機構はプランジャーを動かすように適合されたソレノイドを含んでもよい。プランジャーは、初期気流をもたらすために封止を最初に穿刺するように構成される。別法として、穿刺機構は針に結合された圧縮バネを含んでもよい。バネが減圧されると、針は初期気流をもたらすために封止を最初に穿刺するように構成されてもよい。可動支持部はピストンを含んでもよい。容器は長軸を有するシリンダを含んでもよく、シリンダ内のピストンの動きはシリンダの長軸に沿う。初期気流は少なくとも一部がピストン内の穿孔を通って流れ、ピストンをシリンダの長軸に沿って移動させてもよい。装置は使用者を負傷から守るために使用者が着用可能であってもよい。装置は地面に衝突する前に作動してもよい。第１の区画から第２の区画への迅速な気流は可能であってもよい一方で、爆発物または火工品の使用は回避される。
【０００７】
使用者の転倒を検出すると、保護デバイスのエアバッグの膨張を作動するための機構の様々なシステムおよび方法が、本明細書に提供されている。機構は、第１の区画および第２の区画を含む容器を含んでもよい。第１の区画は、箔封止により第１の区画内に封止された圧縮気体を含有するように適合されてもよい。第２の区画は、ソレノイドと箔封止との間の第２の区画内で可動であるように適合されたピストンを含んでもよい。ピストンは、機構が作動されていないときに第１の区画内に封止された圧縮気体を含有するように箔封止が支援するために、箔封止の隣に配置されてもよい。ピストンは、機構がエアバッグを膨張させるために作動されていないときに箔封止の隣に配置されてもよい。第２の区画はプランジャーを動かすように適合されたソレノイドをさらに含んでもよく、プランジャーは使用者の転倒の検出に応答し、それによってプランジャーの動きにより箔封止を穿刺してもよい。ソレノイドと箔封止との間の第２の区画の壁内に孔が配置されてもよい。機構が作動され箔封止が穿刺されると、ソレノイドに向かうピストンの次の動きは、迅速な気流が第２の区画を通ってエアバッグに入ることができるように、孔の広い開口をもたらしてもよい。エアバッグは第２の区画を閉囲してもよく、エアバッグの開口は第１の区画の外周に密閉して取り付けられてもよい。空気管がエアバッグと孔との間に密閉して取り付けられてもよい。
【０００８】
機構を活用する様々な方法が本明細書に提供され、機構は保護デバイスを着用してもよい使用者の転倒を検出してもよく。別法として、エアバッグおよび機構は使用者の近くに配置されてもよく、転倒が検出されると無線通信によって作動されてもよい。使用者の転倒が検出されると、プランジャーがピストン内の穴を通過するようにソレノイドが作動されてもよく、次いでピストンは箔封止を穿刺し、それによって初期気流が開放されて孔を通る。孔を通る初期気流の解放により、ピストンはソレノイドに向かって移動し、ソレノイドは圧縮気体が容器から迅速に出てエアバッグを膨張させるための通路を生成する。
【０００９】
保護デバイスのエアバッグを拡大するための様々な方法が本明細書に提供される。第１の区画および第２の区画を含む容器が提供される。第１の区画は圧縮気体を含有するように適合される。第１の区画と第２の区画との間の封止は、第１の区画内部の圧縮気体を封止するように適合される。例えば転倒が検出されると、封止は破れ、それによって第１の区画から第２の区画への初期気流がもたらされてもよい。初期気流により、迅速な気流が第２の区画を通りエアバッグに入ってエアバッグを迅速に拡大させるために、広い開口が生成される。エアバッグは第２の区画を閉囲してもよく、エアバッグの開口は第１の区画の外周に密閉して取り付けられてもよい。
【００１０】
保護デバイスのエアバッグを膨張させる様々な装置が本明細書に提供され、保護デバイスは使用者が着用可能であってもよい。別法として、エアバッグおよび装置は使用者の近くに配置されてもよく、転倒が検出されると無線通信によって作動されてもよい。エアバッグは、使用者の転倒が検出されると膨張してもよい。装置は容器を含み、容器は第１の区画および第２の区画をさらに含む。第１の区画は圧縮気体を含有するように適合される。第１の区画と第２の区画との間に封止があり、第２の区画は第１の区画内部の圧縮気体を封止するように適合される。第２の区画は、封止を破るように構成された２段階機構を含み、それによって第１の区画から第２の区画への初期気流をもたらす。初期気流により、迅速な気流が第２の区画を通りエアバッグに入ってエアバッグを迅速に拡大させるために、封止の代わりに広い開口が生成される。封止は第１の区画と第２の区画との間に配置された箔を含んでもよい。２段階機構は、プランジャーを動かすように適合されたソレノイドを含み、プランジャーは使用者の転倒の検出に応答してもよい。プランジャーは初期気流をもたらすために最初に封止を破るように構成される。ピストンはソレノイドと箔封止との間の第２の区画内に配置される。封止が破れる前に、ピストンは、第１の区画内に封止された圧縮気体を含有するために、箔封止を支持するように箔封止の隣に配置される。封止が破れた後、ピストンは初期気流により箔封止から離される。ソレノイドと箔封止との間の第２の区画内の壁内に配置された孔は、ピストンが移動して箔封止から離れると遮断されず、初期気流が外部に逃れることができる。エアバッグは第２の区画を閉囲してもよく、エアバッグの開口は第１の区画の外周に密閉して取り付けられてもよい。別法として、空気管はエアバッグと孔との間に密閉して取り付けられてもよい。
【００１１】
前述および／または他の態様は、添付図面と合わせて考慮することにより、以下の詳述から明らかになろう。
【００１２】
本考案は、例示のみとして添付図面を参照して本明細書に説明されている。
【図面の簡単な説明】
【００１３】
【図１】本考案の特徴による、人が着用した転倒検出デバイスを示す図である。
【図２ａ】本考案の特徴による、容器のより詳細な断面図である。
【図２ｂ】本考案の特徴による、図２ａに示された容器の側面図である。
【図３ａ】本考案の特徴による、最初に作動された容器、および作動後の容器のそれぞれの機構の部分図である。
【図３ｂ】本考案の特徴による、最初に作動された容器、および作動後の容器のそれぞれの機構の部分図である。
【図４ａ】本考案の他の特徴による機構を示す図である。
【図４ｂ】本考案の特徴による、最初に作動された状態における図４ａの機構を示す図である。
【図４ｃ】本考案の特徴による、作動された状態における図４ａの機構を示す図である。
【図５】本考案の他の特徴による機構を示す図である。
【図６】本考案の特徴による方法の流れ図である。
【考案を実施するための形態】
【００１４】
前述および／または他の態様は、添付図面と合わせて考慮することにより、以下の詳述から明らかになろう。
【００１５】
次に本考案の特徴を詳細に参照し、その例は添付図面に示されており、同じ参照番号は全体を通して同じ要素を指す。特徴は、本考案を説明するために図面を参照することにより以下に記載される。
【００１６】
本考案の特徴を詳細に説明する前に、本考案はその適用が以下の記載に説明された、または図面に示された設計の詳細または構成要素の配置に限定されないことを理解されたい。本考案は他の特徴が可能であり、または様々な方法で実施もしくは実行されることが可能である。また本明細書に利用される用語および専門用語は説明のためであり、限定とみなされるべきではないことも理解されたい。
【００１７】
前置きとして、本考案の態様は、エアバッグまたは当技術分野で公知の他の膨張可能な衝撃吸収デバイスの安全な急速膨張のための機構に関し、これらは米国特許第２０１３０３１２１６８号に開示されたように、使用者が着用する、または使用者の近くに置かれる保護デバイスの一部である。本考案は、その様々な態様および実施形態において先行技術の自動車用エアバッグ拘束システムに概して使用されるような爆発物または火工品を使用することなく、エアバッグを迅速に膨張するために作動可能な機構を提供することを目的とする。具体的には、エアバッグを拡大するために火工品および／または爆発物を使用することは安全ではないことがあり、または個人使用のための能動的な股関節保護システムを使用者が使用することを少なくとも回避することがある。このような機構は、改良された、すなわちより安全な自動車用エアバッグ拘束システムを提供でき、かつ／または本考案の様々な特徴により自転車運転者の安全性、オートバイ運転者の安全性、および／もしくは様々な運動における安全性のために利用できる。米国特許第２０１３０３１２１６８号に開示されたシステムは、本考案の様々な態様により、股関節骨折以外または股関節骨折に加えて脊髄負傷および頭部負傷などの負傷を保護するように適合できる。
【００１８】
次に図を参照すると、ここでは本考案の特徴により、人が着用した保護ベルト１２を示す図１を参照する。保護ベルト１２はヒトの腰の周りに着用して示されている。破線で示され保護ベルト１２の内側に配置されているのは、容器２０およびエアバッグ１４である。容器２０および容器２０に取り付けられたエアバッグ１４は、人の股関節が容器２０からエアバッグ１４の中に解放された圧縮気体によって迅速に拡大されるエアバッグ１４によって（人が転倒した場合に）保護されるように、保護ベルト１２内に配置される。エアバッグ１４を膨張させる決定は、保護ベルト１２内に配置された転倒検知および制御回路（図示せず）によって行われてもよい。
【００１９】
次に本考案の特徴による容器２０のより詳細な断面図を示す、図２ａを参照する。容器２０のより詳細な断面図は非作動モードで示されている。エアバッグ１４の折り畳まれた部分は、容器２０に密閉して取り付けられたエアバッグ１４の開口または口部に沿って示されている。容器２０には２つの部分が示されている。軸ＸＸの下の部分は圧縮気体２９のための封止された区画である。圧縮気体２９は二酸化炭素（ＣＯ２）または窒素もしくは空気などの他の適切な気体であってもよい。圧縮気体２９のための下部区画２０Ｌは封止２６、例えば箔封止によって封止され、箔封止２６に隣接して示されたような適位置にディスクまたはピストンなどの可動支持部２４によって支持される。示されたように適位置にあるピストン２４は、容器の下部区画２０Ｌ内の圧縮気体２９の圧力に耐えるために箔封止２６に支持を提供する。
【００２０】
軸ＸＸの上の容器２０の上部２０Ｕは、ピストン２４、プランジャー２８、孔２３、およびソレノイド２２を含む。プランジャー２８は、ソレノイド２２のワイヤ（図示せず）に適用された電気信号の適用により、ソレノイド２２の作動によって長軸ＹＹに沿って下方に、また任意では上方に可動である。プランジャー２８はピストン２４内の穴によってピストン２４を通過できる。ピストン２４は軸ＹＹに平行な容器２０の壁との摩擦接触を有してもよく、また軸ＹＹに沿って上下に可動である。容器２０の壁との摩擦接触には、ピストン２４の外周の「Ｏ」リングおよび容器の上部区画２０Ｕの内壁を使用してもよい。
【００２１】
別法として、軸ＸＸの上部２０Ｕは１つまたは複数の孔２３を有してもよく、１つまたは複数の空気管またはチューブは、当技術分野に公知の適切な空気グランドを使用してエアバッグ１４と孔２３との間に密閉して取り付けられてもよい。
【００２２】
次に本考案の特徴による容器２０の側面図を示す図２ｂも参照する。この側面図は、軸ＹＹ、ＸＸの場所に対して楕円（破線）のような孔２３、容器２０、およびエアバッグ１４を示す。エアバッグ１４が拡大されるのは、容器２０から孔２３を介してエアバッグ１４の中に解放された気体２９による。
【００２３】
依然として図１、図２ａを再度参照し、また本考案の特徴により容器２０の機構の部分図の図２０ａおよび図２０ｂのそれぞれが作動されることを示す、図３ａおよび図３ｂを参照する。また本考案の特徴により方法６０１の流れ図を示す図６も参照する。
【００２４】
ステップ６０３では、容器２０およびエアバッグ１４が任意に人に着用される保護ベルト１２内に提供される。容器２０は圧縮気体２９を保持する区画２０Ｌを含む。圧縮気体は、箔封止２６、および図２ａに示されたように適位置で箔封止２６を支持するピストン２４によって封止される。軸ＸＸ上の容器２０の第２の区画２０Ｕは、ピストン２４、プランジャー２８、孔２３、およびソレノイド２２を含む。
【００２５】
任意のステップ６０５、６０７では、保護ベルト１２を着用する使用者の転倒の可能性が監視される（ステップ６０５）。判定ブロック６０７では、使用者が転倒状態でない場合、使用者の転倒の監視はステップ６０５で継続される。判定ブロック６０７で使用者の切迫した転倒が検出された場合は、作動信号がソレノイド２２に適用されてもよく、ソレノイド２２によってプランジャー２８がピストン２４の穴を通過し、図３ａに示されたように箔封止２６内に少なくとも最初の狭い開口を提供するように箔封止２６を穿刺する（ステップ６０９）。封止２６内の少なくとも最初の狭い開口により、気体２９が箔封止２６とピストン２４との間に流れ（ステップ６１４）、ピストン２４を軸ＹＹに沿ってソレノイド２２に向かって上方に作動位置に移動させる。ピストン２４はもはや箔封止２６を支持せず、箔封止２６は高圧によって押し破られ（ステップ６１７）、気体２９が第２の区画２０Ｕの中に急激に流れ込む。気体は第２の区画２０Ｕの中に迅速に流れ（ステップ６２０）、任意に孔２３を通って、エアバッグ１４を迅速に拡大させる。したがって箔封止２６が穿刺し、ピストン２４が作動位置に移動して箔封止２６を支持しない結果として、孔２３に向かって気体２９を解放するための広い経路が、箔封止２６とピストン２４との間に生成される。
【００２６】
次に再度方法６０１を参照し、また本考案の特徴による非作動位置にある容器２０の詳細な断面図を示す図４ａを参照する。容器２０は例えば人が着用する保護ベルト１２内に提供される（ステップ６０３）。容器２０は非作動モードで示されている。エアバッグ１４の折り畳まれた部分は、容器２０に密閉して取り付けられたエアバッグ１４の開口に沿って示されている。
【００２７】
図２ａのように容器２０は２つの部分で示されている。軸ＸＸの下部は圧縮気体２９のために封止された区画２０Ｌである。上部区画２０Ｕは可動ピストン２４、プランジャー２８、孔２３、折り畳み可能な部分４０、およびソレノイド２２を含む。区画２０Ｌは、それに隣接して配置された可動ピストン２４によって支持された箔封止２６によって封止される。可動ピストン２４は折り畳み可能な部分４０によって定位置に摩擦で保持されてもよい。
【００２８】
プランジャー２８は、ソレノイド２２の作動によって軸ＹＹに平行なピストン２４内の垂直穴を通って長軸ＹＹに沿って下方に移動できる。ピストン２４の下部で、水平穿孔４４はピストン２４を通る垂直穴と接合し、これによりプランジャー２８は下方に移動できる。可動ピストン２４内の水平穿孔４４は部分４２を通過する。部分４２は箔封止２６を支持する機能を果たし、可動ピストン２４のための端部停止部として働く。示されたように非作動位置では、ピストン２４はさらに遮断し孔２３を封止する。
【００２９】
次に最初に作動された容器２０および完全に作動された容器２０のそれぞれを示す図４ｂおよび図４ｃも参照する。ソレノイド２２は、図４ｂに示されたように箔封止２６を穿刺するためにプランジャー２８を下方に押し付けられるように作動される（ステップ６０９）。気体２９は中空穿孔４４を通ってプランジャー２８の周囲を通過する。水平穿孔４４に入る気体が拡大することにより、図４ｂに破線矢印によって示されたようにピストン２４が上方に動く。
【００３０】
図４ｃでは、ピストン２４は、水平穿孔４４を通る初期気流がピストン２４と部分４２との間に生成された空間に入る際に上方に動く。可動ピストン２４が上方に動くと、気体２９は孔２３を通って容器２０から出てもよく、このとき折り畳み可能な部分４０が気体２９の圧力および気流に起因して、またピストン２４がソレノイド２２に向かってさらに上方に動くことによって折り畳まれる、または剥離するので、孔２３は遮断されない。
【００３１】
次に本考案の特徴により容器２０の代替実施形態の図面を示す図５を参照する。容器２０は非作動モードで示されている。図５に示された容器２０は、ソレノイド２２が容器２０の外側に装着されていること以外は、図４ａに示された容器２０と同様である。ソレノイド２２のプランジャー２２ａはディスク５２を定位置に保持する。軸ＹＹに沿って可動のディスク５２は、プランジャー２８に機械的に取り付けられ、ディスク５２と容器２０の頂部との間に圧縮されたバネ５０を維持する。
【００３２】
使用者の切迫した転倒の可能性が検出された（ステップ６０７）結果として、ソレノイド２２は、プランジャー２２ａが圧縮されたバネ５０を維持するためにディスク５２をもはや保持しないように作動される。ソレノイド２２が作動された結果として、プランジャー２８に取り付けられたディスク５２はバネ５０が減圧するにつれて下方に移動し、箔封止２６はプランジャー２８によって穿刺される（ステップ６０９）。そうでなければ作動は上記の図４ｂおよび図４ｃについて先に説明した作動と同様である。
【００３３】
用語「プランジャー」、「針」、「ナイフ」、および「ピン」は本明細書では交換可能に使用される。
【００３４】
用語「ピストン」、および「ディスク」は本明細書では交換可能に使用される。
【００３５】
用語「ｄｉｓｐｏｓｅｄ（配置される）」、および「ｌｏｃａｔｅｄ（配置される）」は本明細書では交換可能に使用される。
【００３６】
エアバッグに対する用語「口部」、「喉部」、および「開口」は本明細書では交換可能に使用される。
【００３７】
用語「容器」、および「シリンダ」は本明細書では交換可能に使用される。
【００３８】
「ａｎ  ａｉｒ  ｂａｇ（１つのエアバッグ）」、「ａ  ｍｅｃｈａｎｉｓｍ（１つの機構）」、「ａ  ｓｏｌｅｎｏｉｄ（１つのソレノイド）」などの本明細書で使用される冠詞「ａ」、「ａｎ」は、「ｏｎｅ  ｏｒ  ｍｏｒｅ（１つまたは複数）」、すなわち「ｏｎｅ  ｏｒ  ｍｏｒｅ  ａｉｒ  ｂａｇｓ（１つまたは複数のエアバッグ）」、「ｏｎｅ  ｏｒ  ｍｏｒｅ  ｍｅｃｈａｎｉｓｍｓ（１つまたは複数の機構）」、および「ｏｎｅ  ｏｒ  ｍｏｒｅ  ｓｏｌｅｎｏｉｄｓ（１つまたは複数のソレノイド）」の意味を有する。
【００３９】
本出願は性的に中立であり、人称代名詞「彼」および「彼女」は本明細書では交換可能に使用される。
【００４０】
本明細書に説明された様々な実施形態の特徴は互いに組み合わせてもよい。
【００４１】
米国特許出願第６２／０７７，２４２号の開示に由来する本出願が主張する優先権は、参照により本明細書に組み込まれる。
【００４２】
本考案の選択された特徴が示され説明されたが、本考案は説明された特徴に限定されないことを理解されたい。それよりむしろ本考案の原理および精神から逸脱することなく、これらの特徴に変更が行われてもよく、本考案の範囲は実用新案登録請求の範囲およびその等価物によって定義されることを理解されたい。
【図１】
0003214415.tif 000003
【図２ａ】
0003214415.tif 000004
【図２ｂ】
0003214415.tif 000005
【図３】
0003214415.tif 000006
【図４ａ】
0003214415.tif 000007
【図４ｂ】
0003214415.tif 000008
【図４ｃ】
0003214415.tif 000009
【図５】
0003214415.tif 000010
【図６】
0003214415.tif 000011
【手続補正書】
【提出日】平成29年11月1日(2017.11.1)
【手続補正１】
【補正対象書類名】実用新案登録請求の範囲
【補正対象項目名】全文
【補正方法】変更
【補正の内容】
【実用新案登録請求の範囲】
【請求項１】
装置であって、前記装置は、
第１の区画および第２の区画を含む容器であって、前記第１の区画は圧縮気体を含有するように適合される、容器と、
前記第１の区画と前記第１の区画内部の前記圧縮気体を封止するように適合された前記第２の区画との間の封止と、を備え、
前記第２の区画は、
前記封止に隣接し、非作動位置において前記封止を支持するように適合された可動支持部と、
前記封止を穿刺するように構成され、それによって前記第１の区画から前記第２の区画への初期気流をもたらす穿刺機構であって、前記穿刺機構は、プランジャーを動かすように適合されたソレノイドを含み、前記プランジャーは、前記初期気流をもたらすために前記封止を最初に穿刺するように構成される、穿刺機構と、
を含み、
穿刺に続いて前記初期気流は進み、前記封止を支持することから離れて作動位置に前記可動支持部を移動させ、前記可動支持部が前記封止に隣接していない場合、前記第１の区画から前記第２の区画への迅速な気流を可能にするために、前記第１の区画から前記第２の区画への圧力および気流に応答して前記封止が押し破られる、装置。
【請求項２】
前記第２の区画の壁内に配置された孔をさらに備え、前記非作動位置において前記可動支持部は前記孔を遮断するように構成され、前記作動位置において前記可動支持部は、前記第２の区画内の気体が前記容器から外部に迅速に逃れることができるように前記孔を遮断しないように構成される、請求項１に記載の装置。
【請求項３】
前記容器の外部に密閉して取付け可能である口部を含むエアバッグをさらに備え、前記孔は、前記第２の区画から前記孔を通って前記逃れた気体が前記エアバッグに入るように、前記エアバッグの内部にある、請求項２に記載の装置。
【請求項４】
前記容器を完全に密閉して閉囲するエアバッグをさらに備え、前記孔は、前記第２の区画から前記孔を通って逃れた気体が前記エアバッグに入るように、前記エアバッグの内部にある、請求項２に記載の装置。
【請求項５】
口部を含むエアバッグと、
前記エアバッグの前記口部と前記孔との間に密閉して取り付けられた空気管とをさらに備える、請求項２に記載の装置。
【請求項６】
前記封止は前記第１の区画と前記第２の区画との間に配置された箔を含む、請求項１に記載の装置。
【請求項７】
前記穿刺機構は、
針に結合された圧縮バネを含み、前記針は、前記バネが減圧されると前記初期気流をもたらすために前記封止を最初に穿刺するように構成される、請求項１に記載の装置。
【請求項８】
前記可動支持部はピストンを含み、前記容器は長軸を有するシリンダを含み、前記シリンダ内の前記ピストンの動きは前記長軸に沿う、請求項１に記載の装置。
【請求項９】
前記初期気流は少なくとも一部が前記ピストン内の穿孔を通って流れ、前記ピストンを前記シリンダの前記長軸に沿って移動させる、請求項８に記載の装置。
【請求項１０】
前記装置は使用者を負傷から守るために前記使用者が着用可能であり、前記装置は地面に衝突する前に作動される、請求項１に記載の装置。